(57)【要約】【課題】複数の搬送路にそれぞれ配置された搬送ローラ対のニップを解除する駆動機構の数を従来よりも減少させることが可能な画像形成装置を提供する。【解決手段】画像形成装置１は、主搬送路５０Ａと、中間ローラ対８１と、両面搬送路５０Ｂと、第３両面ローラ対８４と、駆動機構９と、を備える。中間ローラ対８１は、中間駆動ローラ８１Ａと、中間従動ローラ８１Ｂと、を有し、第３両面ローラ対８４は、第３両面駆動ローラ８４Ａと、第３両面従動ローラ８４Ｂとを有する。駆動機構９は、中間駆動ローラ８１Ａを所定の時間中間従動ローラ８１Ｂから離間させる第１離接動作と、第３両面駆動ローラ８４Ａを所定の時間第３両面従動ローラ８４Ｂから離間させる第２離接動作とを、選択的に実行する。【選択図】図６
2019147674.tif 000002
【特許請求の範囲】
【請求項１】
シートを所定の搬送方向に沿って案内する第１搬送路と、
前記第１搬送路に配置されシートを搬送する第１搬送ローラ対であって、第１ローラと、前記第１ローラとの間でシートが搬送される第１ニップ部を形成する第２ローラと、を含む第１搬送ローラ対と、
前記第１搬送ローラ対よりも前記搬送方向の下流側において前記第１搬送路に合流するように配置され、シートを案内する第２搬送路と、
前記第２搬送路に配置されシートを搬送する第２搬送ローラ対であって、第３ローラと、前記第３ローラとの間でシートが搬送される第２ニップ部を形成する第４ローラと、を含む第２搬送ローラ対と、
前記第３ローラを前記第４ローラに当接させた状態で前記第１ローラを所定の時間前記第２ローラから離間させた後前記第２ローラに当接させる第１離接動作と、前記第１ローラを前記第２ローラに当接させた状態で前記第３ローラを所定の時間前記第４ローラから離間させた後前記第４ローラに当接させる第２離接動作とを、選択的に実行することが可能な駆動機構と、
を備える、画像形成装置。
【請求項２】
前記駆動機構は、
第１回転方向および前記第１回転方向とは反対の第２回転方向に回転可能なモータと、
前記モータの前記第１回転方向における回転駆動力によって前記第１ローラを第２ローラから離間させる第１駆動伝達機構と、
前記モータの前記第２回転方向における回転駆動力によって前記第３ローラを前記第４ローラから離間させる第２駆動伝達機構と、
を有する、請求項１に記載の画像形成装置。
【請求項３】
前記駆動機構は、前記モータに連結され前記第１回転方向および前記第２回転方向に回動可能なカムを更に備え、
前記第１駆動伝達機構は、
前記カムに対向して配置された第１被押圧部と、
前記第１被押圧部に接続された第１軸部と、
前記第１軸部に固定され、前記第１ローラを回転可能に支持する第１ホルダと、
を有し、
前記第２駆動伝達機構は、
前記第１被押圧部とは反対側で前記カムに対向して配置された第２被押圧部と、
前記第２被押圧部に接続され前記第２軸部と平行に延びる第２軸部と、
前記第２軸部に固定され、前記第３ローラを回転可能に支持する第２ホルダと、
を有し、
前記モータが前記第１回転方向に回転されると、前記カムが前記第１被押圧部を押圧することで、前記第１ホルダが前記第１軸部回りに回転するとともに前記第１ローラが前記第２ローラから離間し、前記モータが前記第２回転方向に回転されると、前記カムが前記第２被押圧部を押圧することで、前記第２ホルダが前記第２軸部回りに回転するとともに前記第３ローラが前記第４ローラから離間する、請求項２に記載の画像形成装置。
【請求項４】
複数のシートを収容し、前記第１搬送路の入口に連通するシート収容部と、
前記第１搬送ローラ対よりも前記搬送方向下流側において前記第１搬送路に対向して配置され、前記第１搬送路を搬送されるシートに画像を形成する画像形成部と、
前記第１搬送路の出口に連通し、前記画像形成部において画像が形成されたシートを受け入れるシート排出部と、
前記第１搬送路のうち前記第１搬送ローラ対と前記画像形成部との間に配置され、前記シートの斜行を補正するとともに前記シートを搬送するレジストローラ対と、
前記駆動機構を制御する駆動制御部と、
を更に備え、
前記第２搬送路は、前記第１搬送路のうち前記画像形成部よりも前記搬送方向下流側から分岐するとともに、前記第１搬送路のうち前記第１搬送ローラ対と前記レジストローラ対との間の部分に合流する両面搬送路であって、
前記駆動制御部は、前記第１搬送ローラ対によって前記第１搬送路を搬送されるシートの先端部が前記レジストローラ対に至った後に前記第１離接動作を実行し、前記第２搬送ローラ対によって前記第２搬送路を搬送されるシートの先端部が前記レジストローラ対に至った後に前記第２離接動作を実行する、請求項１乃至３の何れか１項に記載の画像形成装置。
【請求項５】
前記駆動制御部は、前記第１離接動作において前記第１ローラを前記第２ローラから離間させた後であって前記シートの後端部が前記第１搬送ローラ対を通過する前に前記第１ローラを前記第２ローラに当接させる一方、前記第２離接動作において前記第３ローラを前記第４ローラから離間させた後であって前記シートの後端部が前記第２搬送ローラ対を通過する前に前記第３ローラを前記第４ローラに当接させる、請求項４に記載の画像形成装置。
【発明の詳細な説明】
【技術分野】
【０００１】
本発明は、シートに画像を形成する画像形成装置に関する。
【背景技術】
【０００２】
従来、シートに画像を形成する画像形成装置では、感光体ドラム上にトナー像が形成され、感光体ドラムと転写ローラとの間に形成される転写ニップ部において、前記トナー像がシートに転写される。画像形成装置は、更に定着部を備え、トナー像が転写されたシートは、定着部において定着処理を施された後、排出される。
【０００３】
特許文献１には、複数のシートからなるシート束が収容される給紙部と、手差し用の給紙トレイと、を備える画像形成装置が開示されている。給紙部と転写ニップ部との間の搬送路、および給紙トレイと転写ニップ部との間の搬送路には、複数の搬送ローラ対がそれぞれ配置されている。搬送ローラ対は、駆動ローラと従動ローラとを含む。
【先行技術文献】
【特許文献】
【０００４】
【特許文献１】特開２０１６−１６６０６５号公報
【発明の概要】
【発明が解決しようとする課題】
【０００５】
特許文献１に記載されたような技術では、所定の駆動機構（モータ）の回転駆動力が駆動ローラに伝達されることで、搬送ローラ対が回転されシートが搬送される。また、各搬送路では、必要に応じて搬送ローラ対のニップを解除する場合がある。一例として、レジストローラ対においてシートのスキューが矯正される場合、当該レジストローラ対よりも上流側の搬送ローラ対のニップが一時的に解除されることでシートの動きに自由度が増し、上記のスキューが矯正される。このように、各搬送路において搬送ローラ対のニップを解除するためには、専用の駆動機構がそれぞれ設けられる必要があった。この結果、画像形成装置が大型化するとともにそのコストが増大するという問題があった。
【０００６】
本発明は、上記のような課題を解決するためになされたものであり、複数の搬送路にそれぞれ配置された搬送ローラ対のニップを解除する駆動機構の数を従来よりも減少させることが可能な画像形成装置を提供することを目的とする。
【課題を解決するための手段】
【０００７】
本発明の一局面に係る画像形成装置は、シートを所定の搬送方向に沿って案内する第１搬送路と、前記第１搬送路に配置されシートを搬送する第１搬送ローラ対であって、第１ローラと、前記第１ローラとの間でシートが搬送される第１ニップ部を形成する第２ローラと、を含む第１搬送ローラ対と、前記第１搬送ローラ対よりも前記搬送方向の下流側において前記第１搬送路に合流するように配置され、シートを案内する第２搬送路と、前記第２搬送路に配置されシートを搬送する第２搬送ローラ対であって、第３ローラと、前記第３ローラとの間でシートが搬送される第２ニップ部を形成する第４ローラと、を含む第２搬送ローラ対と、前記第３ローラを前記第４ローラに当接させた状態で前記第１ローラを所定の時間前記第２ローラから離間させた後前記第２ローラに当接させる第１離接動作と、前記第１ローラを前記第２ローラに当接させた状態で前記第３ローラを所定の時間前記第４ローラから離間させた後前記第４ローラに当接させる第２離接動作とを、選択的に実行することが可能な駆動機構と、を備える。
【０００８】
本構成によれば、第１搬送路および第２搬送路の２つの搬送路に配置された２つの搬送ローラ対を共通の駆動機構によって選択的に離接させることができる。この結果、第１搬送ローラ対および第２搬送ローラ対のそれぞれに離接用の駆動機構を配置する必要がなく、複数の搬送路にそれぞれ配置された搬送ローラ対のニップを解除する駆動機構の数を従来よりも減少させることが可能となる。
【０００９】
上記の構成において、前記駆動機構は、第１回転方向および前記第１回転方向とは反対の第２回転方向に回転可能なモータと、前記モータの前記第１回転方向における回転駆動力によって前記第１ローラを第２ローラから離間させる第１駆動伝達機構と、前記モータの前記第２回転方向における回転駆動力によって前記第３ローラを前記第４ローラから離間させる第２駆動伝達機構と、を有することが望ましい。
【００１０】
本構成によれば、単一のモータの回転方向に応じて、複数の搬送ローラ対のニップを選択的に解除することができる。
【００１１】
上記の構成において、前記駆動機構は、前記モータに連結され前記第１回転方向および前記第２回転方向に回動可能なカムを更に備え、前記第１駆動伝達機構は、前記カムに対向して配置された第１被押圧部と、前記第１被押圧部に接続された第１軸部と、前記第１軸部に固定され、前記第１ローラを回転可能に支持する第１ホルダと、を有し、前記第２駆動伝達機構は、前記第１被押圧部とは反対側で前記カムに対向して配置された第２被押圧部と、前記第２被押圧部に接続され前記第２軸部と平行に延びる第２軸部と、前記第２軸部に固定され、前記第３ローラを回転可能に支持する第２ホルダと、を有し、前記モータが前記第１回転方向に回転されると、前記カムが前記第１被押圧部を押圧することで、前記第１ホルダが前記第１軸部回りに回転するとともに前記第１ローラが前記第２ローラから離間し、前記モータが前記第２回転方向に回転されると、前記カムが前記第２被押圧部を押圧することで、前記第２ホルダが前記第２軸部回りに回転するとともに前記第３ローラが前記第４ローラから離間することが望ましい。
【００１２】
本構成によれば、カムの回動方向に応じて、第１ホルダおよび第２ホルダが異なる方向に回動することで、第１ローラおよび第３ローラのうちの一方の離間動作が安定して実現される。
【００１３】
上記の構成において、複数のシートを収容し、前記第１搬送路の入口に連通するシート収容部と、前記第１搬送ローラ対よりも前記搬送方向下流側において前記第１搬送路に対向して配置され、前記第１搬送路を搬送されるシートに画像を形成する画像形成部と、前記第１搬送路の出口に連通し、前記画像形成部において画像が形成されたシートを受け入れるシート排出部と、前記第１搬送路のうち前記第１搬送ローラ対と前記画像形成部との間に配置され、前記シートの斜行を補正するとともに前記シートを搬送するレジストローラ対と、前記駆動機構を制御する駆動制御部と、を更に備え、前記第２搬送路は、前記第１搬送路のうち前記画像形成部よりも前記搬送方向下流側から分岐するとともに、前記第１搬送路のうち前記第１搬送ローラ対と前記レジストローラ対との間の部分に合流する両面搬送路であって、前記駆動制御部は、前記第１搬送ローラ対によって前記第１搬送路を搬送されるシートの先端部が前記レジストローラ対に至った後に前記第１離接動作を実行し、前記第２搬送ローラ対によって前記第２搬送路を搬送されるシートの先端部が前記レジストローラ対に至った後に前記第２離接動作を実行することが望ましい。
【００１４】
本構成によれば、第１搬送路または第２搬送路を搬送されるシートの斜行がレジストローラ対においてそれぞれ安定して矯正される。
【００１５】
上記の構成において、前記駆動制御部は、前記第１離接動作において前記第１ローラを前記第２ローラから離間させた後であって前記シートの後端部が前記第１搬送ローラ対を通過する前に前記第１ローラを前記第２ローラに当接させる一方、前記第２離接動作において前記第３ローラを前記第４ローラから離間させた後であって前記シートの後端部が前記第２搬送ローラ対を通過する前に前記第３ローラを前記第４ローラに当接させることが望ましい。
【００１６】
本構成によれば、シートの後端が第１搬送ローラ対または第２搬送ローラ対を通過した後に当接動作が実行される場合と比較して、紙間の不要な増大を抑制することができる。
【発明の効果】
【００１７】
本発明によれば、複数の搬送路にそれぞれ配置された搬送ローラ対のニップを解除する駆動機構の数を従来よりも減少させることが可能な画像形成装置が提供される。
【図面の簡単な説明】
【００１８】
【図１】本発明の一実施形態に係る画像形成装置の内部構造を示す断面図である。
【図２】本発明の一実施形態に係る画像形成装置の両面搬送ユニットの側面図である。
【図３】本発明の一実施形態に係る画像形成装置の両面搬送ユニットの平面図である。
【図４】本発明の一実施形態に係る画像形成装置の両面搬送ユニットの正面図である。
【図５】本発明の一実施形態に係る画像形成装置の両面搬送ユニットの断面図である。
【図６】本発明の一実施形態に係る駆動機構の斜視図である。
【図７】本発明の一実施形態において、片面連続印刷が実行される場合のフローチャートである。
【図８】本発明の一実施形態において、両面連続印刷が実行される場合のフローチャートである。
【発明を実施するための形態】
【００１９】
以下、図面に基づいて、本発明の実施形態につき詳細に説明する。図１は、本発明の一実施形態に係る画像形成装置１の内部構造を示す断面図である。ここでは、画像形成装置１として、プリンター機能と複写機能とを備えた複合機を例示するが、画像形成装置は、プリンター、複写機、ファクシミリ装置であってもよい。
【００２０】
＜画像形成装置の説明＞
画像形成装置１は、略直方体形状の筐体構造を有する装置本体１０と、装置本体１０上に配置される自動原稿給送装置２０とを備える。装置本体１０の内部には、複写する原稿画像を光学的に読み取る読取ユニット２５と、シートＳにトナー像を形成する画像形成部３０と、前記トナー像をシートに定着させる定着部６０と、画像形成部３０へ搬送される複数のシートＳを収容する給紙部４０と、シートＳを給紙部４０又は給紙トレイ４６から画像形成部３０及び定着部６０を経由して排出空間１０Ｓまで搬送する搬送経路５０と、が収容されている。排出空間１０Ｓ（シート排出部）は、画像形成部３０において画像が形成されたシートＳを受け入れる。排出空間１０Ｓに排出されたシートＳは、排紙部１０１に積載される。
【００２１】
自動原稿給送装置（ＡＤＦ）２０は、装置本体１０における所定の原稿読取位置に向けて、複写される原稿シートを自動給送する。一方、ユーザーが手置きで原稿シートを所定の原稿読取位置に載置する場合は、ＡＤＦ２０は上方に開かれる。読取ユニット２５は、装置本体１０の上面のＡＤＦ２０から自動給送される原稿シート又は手置きされる原稿シートの画像を光学的に読み取る。
【００２２】
画像形成部３０は、フルカラーのトナー画像を生成しこれを主搬送路５０Ａを搬送されるシートＳ上に転写することで、シートＳに画像を形成するものであり、タンデムに配置されたイエロー（Ｙ）、マゼンタ（Ｍ）、シアン（Ｃ）及びブラック（Ｂｋ）の各トナー像を形成する４つのユニット３２Ｙ、３２Ｍ、３２Ｃ、３２Ｂｋを含む画像形成ユニット３２と、該画像形成ユニット３２の上に隣接して配置された中間転写ユニット３３と、中間転写ユニット３３上に配置されたトナー補給部３４とを含む。
【００２３】
各画像形成ユニット３２Ｙ、３２Ｍ、３２Ｃ、３２Ｂｋは、感光体ドラム３２１と、この感光体ドラム３２１の周囲に配置された、帯電器３２２、露光器３２３、現像装置３２４、一次転写ローラ３２５及びクリーニング装置３２６とを含む。
【００２４】
感光体ドラム３２１は、その軸回りに回転し、その周面に静電潜像及びトナー像が形成される。帯電器３２２は、感光体ドラム３２１の表面を均一に帯電する。露光器３２３は、レーザー光源とミラーやレンズ等の光学系機器とを有し、感光体ドラム３２１の周面に、原稿画像の画像データに基づく光を照射して、静電潜像を形成する。
【００２５】
現像装置３２４は、感光体ドラム３２１上に形成された静電潜像を現像するために、感光体ドラム３２１の周面にトナーを供給する。一次転写ローラ３２５は、感光体ドラム３２１上のトナー像を中間転写ベルト３３１上に一次転写する。クリーニング装置３２６は、トナー像転写後の感光体ドラム３２１の周面を清掃する。
【００２６】
中間転写ユニット３３は、中間転写ベルト３３１、ベルト駆動ローラ３３２及び従動ローラ３３３を備える。中間転写ベルト３３１の外周面には、複数の感光体ドラム３２１からトナー像が、同一箇所に重ねて転写される。中間転写ベルト３３１は図１では反時計回りに回転される。
【００２７】
ベルト駆動ローラ３３２の周面に対向して、二次転写ローラ３５が配置されている。ベルト駆動ローラ３３２と二次転写ローラ３５とのニップ部は、中間転写ベルト３３１に重ね塗りされたフルカラーのトナー像をシートに転写する二次転写部となる。
【００２８】
トナー補給部３４は、イエロー用トナーコンテナ３４Ｙ、マゼンタ用トナーコンテナ３４Ｍ、シアン用トナーコンテナ３４Ｃ、及びブラック用トナーコンテナ３４Ｂｋを含み、各色に対応する画像形成ユニット３２Ｙ、３２Ｍ、３２Ｃ、３２Ｂｋの現像装置３２４に、排出スクリュー３４１から図略の供給経路を通して各色のトナーを供給する。
【００２９】
給紙部４０は、画像形成処理が施されるシートＳを収容する２段の給紙カセット４０Ａ、４０Ｂを備える。これら給紙カセット４０Ａ、４０Ｂは、装置本体１０の前方から手前方向に引出可能である。
【００３０】
給紙カセット４０Ａ（４０Ｂ）は、シートＳが積層されてなるシート束を収納するシート収容部４１と、前記シート束を給紙のためにリフトアップするリフト板４２とを備える。給紙カセット４０Ａ（４０Ｂ）の右端側の上部には、ピックアップローラ４３と、給紙ローラ４４とリタードローラ４５とのローラ対とが配置されている。ピックアップローラ４３及び給紙ローラ４４の駆動により、給紙カセット４０Ａ内のシート束の最上層のシートＳが１枚ずつ繰り出され、搬送経路５０の上流端へ搬入される。
【００３１】
搬送経路５０は、給紙部４０から画像形成部３０を経由して定着部６０の出口までシートＳを搬送する主搬送路５０Ａ（第１搬送路）と、シートＳに対して両面印刷を行う場合に片面印刷されたシートを画像形成部３０に戻すための両面搬送路５０Ｂ（第２搬送路）と、主搬送路５０Ａの下流端から排出空間１０ＳへシートＳを向かわせるための上方排出路５０Ｃ、下方排出路５０Ｄとを含む。なお、給紙部４０は、主搬送路５０Ａの入口に連通しており、画像形成部３０は、後記の中間ローラ対８１よりも搬送方向下流側において主搬送路５０Ａに対向して配置されている。また、排出空間１０Ｓは、主搬送路５０Ａの出口に連通している。
【００３２】
主搬送路５０Ａの、二次転写部３５Ａよりも上流側（中間ローラ対８１と画像形成部との間）には、レジストローラ対５１が配置されている。レジストローラ対５１は、シートＳの斜行（スキュー）を補正するとともに、シートＳを二次転写部３５Ａに向かって搬送する。
【００３３】
定着部６０は、シートＳにトナー像を定着させる定着処理を施す誘導加熱方式の定着装置であり、内部に定着ニップ部が形成されている。シートＳが定着ニップ部を通過することで、シートＳに転写されたトナー像が当該シートに定着される。
【００３４】
定着部６０よりも上方の主搬送路５０Ａには、不図示の切替ガイドが揺動可能に備えられている。切替ガイドが一の姿勢に揺動されると、シートＳは主搬送路５０Ａから下方排出路５０Ｄに搬入される。そして、シートＳは、第１排出ローラ７１および第１従動ローラ７２からなる第１排出ローラ対７Ａによって、排紙部１０１に排出される。
【００３５】
一方、切替ガイドが他の姿勢に揺動されると、シートＳは主搬送路５０Ａから上方排出路５０Ｃに搬入される。そして、シートＳは、第２排出ローラ７３および第２従動ローラ７４からなる第２排出ローラ対７Ｂによって、排紙部１０１に排出される。なお、排出部１０１の上方に不図示の排紙トレイが装着された場合には、シートＳは、第２排出ローラ対７Ｂによって、前記排紙トレイに排出される。
【００３６】
更に、画像形成装置１は、両面搬送ユニット８を備える。図１に示すように、両面搬送ユニット８は、装置本体１０の右端部に備えられ、前述の両面搬送路５０Ｂを内部に含む。両面搬送ユニット８は、装置本体１０の右壁１０Ｒの一部を画定する。シートＳに両面印刷が施される際には、一の面に画像が形成されたシートＳの先端部が、上方排出路５０Ｃから排出空間１０Ｓに露出した状態で、第２排出ローラ対７Ｂの回転方向が逆転され、シートＳがスイッチバックされる。そして、上方排出路５０Ｃと両面搬送路５０Ｂとの境界付近に停止していたシートＳの後端部が、新たな先端部として、両面搬送路５０Ｂに搬入される。
【００３７】
図２乃至図５は、それぞれ本実施形態に係る両面搬送ユニット８の側面図、平面図、正面および断面図である。両面搬送ユニット８は、ユニット本体８０と、搬送ユニット８５と、中間ローラ対８１と、第１両面ローラ対８２と、第２両面ローラ対８３と、第３両面ローラ対８４と、を備える。
【００３８】
ユニット本体８０は両面搬送ユニット８の本体部分である。搬送ユニット８５は、ユニット本体８０の左側部に配設されている。ユニット本体８０は、ユニット把持部８０Ｓと、ユニット側レール８０Ｒ（図４）と、ユニット上方ガイド８０Ｇと、を有する。また、図５に示すように、ユニット本体８０および搬送ユニット８５には、主搬送路５０Ａの一部と、両面搬送路５０Ｂとが配設されている。また、図５に示すように、搬送ユニット８５には、前述の二次転写ローラ３５が回転可能に支持されるとともに、レジストローラ対５１のレジスト従動ローラ５１Ｂも支持されている。また、二次転写ローラ３５の上方には、定着部６０が配置される定着部用空間６０Ｈが形成されている。
【００３９】
ユニット把持部８０Ｓは、ユニット本体８０の右側面に配置された把持部である。ユニット側レール８０Ｒはユニット本体８０の下端部に水平方向に沿って延びるように配設されたレール部分である。ユニット側レール８０Ｒは、装置本体１０に設けられた装置本体側レール１０Ｔに対して左右方向に沿ってスライド移動する。なお、図４に示すようなユニット本体８０の前側部分に加え、ユニット本体８０の後側部分にもユニット側レール８０Ｒ（装置本体側レール１０Ｔ）が設けられている。ユニット把持部８０Ｓが使用者またはメンテナンス作業者によって把持されながらユニット本体８０が右方に引き出されると（図４の矢印ＤＳ）、ユニット本体８０および搬送ユニット８５が一体的にスライド移動し、主搬送路５０Ａの一部が装置本体１０の外側に露出する。この結果、主搬送路５０Ａにおいて詰まったシートＳを除去することができる。この際、図５に示すように、二次転写ローラ３５およびレジストローラ対５１もユニット本体８０と共に右方に移動する。なお、図５の両面搬送ユニット８において、両面搬送路５０Ｂよりも右側部分が両面搬送路５０Ｂよりも左側部分（搬送ユニット８５）に対して分離可能とされている。この結果、両面搬送路５０Ｂにおいて詰まったシートＳも除去可能である。
【００４０】
ユニット上方ガイド８０Ｇは、ユニット本体８０の上端側に配置されており、第２排出ローラ対７ＢによってスイッチバックされたシートＳを両面搬送路５０Ｂにガイドする。
【００４１】
中間ローラ対８１（第１搬送ローラ対）は、主搬送路５０Ａのうちレジストローラ対５１よりも上流側に配置され、シートＳを上方に搬送する。給紙部４０から給紙されたシートＳは、中間ローラ対８１によってレジストローラ対５１に搬送される。中間ローラ対８１は、中間駆動ローラ８１Ａ（第１ローラ）と、中間従動ローラ８１Ｂ（第２ローラ）と、を有する。中間従動ローラ８１Ｂは、中間駆動ローラ８１Ａとの間でシートＳが搬送されるニップ部（第１ニップ部）を形成する。
【００４２】
第１両面ローラ対８２は、両面搬送路５０Ｂの入口付近（両面搬送路５０Ｂの上端部）に配置され、シートＳを下方に搬送する。第１両面ローラ対８２は、ユニット上方ガイド８０ＧによってガイドされたシートＳを両面搬送路５０Ｂに搬入する。第１両面ローラ対８２は、第１両面駆動ローラ８２Ａと、第１両面従動ローラ８２Ｂと、を有する。第１両面ローラ対８２は、ユニット本体８０に支持されている。
【００４３】
第２両面ローラ対８３は、両面搬送路５０Ｂの上下方向の略中央部に配置され、シートＳを搬送する。第２両面ローラ対８３は、第１両面ローラ対８２によって搬送されたシートＳを更に下方に搬送する。第２両面ローラ対８３は、第２両面駆動ローラ８３Ａと、第２両面従動ローラ８３Ｂと、を有する。第２両面駆動ローラ８３Ａは搬送ユニット８５に支持され、第２両面従動ローラ８３Ｂはユニット本体８０に支持されている。
【００４４】
第３両面ローラ対８４は、両面搬送路５０Ｂの下端部近傍に配置され、シートＳを搬送する。なお、図５に示すように、両面搬送路５０Ｂの下端部（下流側）は、円弧状に湾曲しており、レジストローラ対５１よりも上流側であって中間ローラ対８１よりも下流側の主搬送路５０Ａに連通している。第３両面ローラ対８４は、第３両面駆動ローラ８４Ａ（第３ローラ）と、第３両面従動ローラ８４Ｂ（第４ローラ）と、を有する。第３両面従動ローラ８４Ｂは、第３両面駆動ローラ８４Ａとの間でシートＳが搬送されるニップ部（第２ニップ部）を形成する。第３両面駆動ローラ８４Ａはユニット本体８０に支持され、第３両面従動ローラ８４Ｂは搬送ユニット８５に支持されている。
【００４５】
両面搬送ユニット８の周辺において、主搬送路５０Ａは、シートＳを下方から上方に向かう搬送方向に沿って案内する。一方、両面搬送路５０Ｂは、主搬送路５０Ａのうち画像形成部３０よりも前記搬送方向下流側から分岐するとともに、中間ローラ対８１よりも主搬送路５０ＡにおけるシートＳの搬送方向の下流側（中間ローラ対８１とレジストローラ対５１との間）において主搬送路５０Ａに合流するように配置され、シートＳを下方に案内する。
【００４６】
なお、本実施形態では、レジストローラ５１Ａ、中間駆動ローラ８１Ａ、第１両面駆動ローラ８２Ａ、第２両面駆動ローラ８３Ａおよび第３両面駆動ローラ８４Ａには、それぞれ不図示のモータが連結されており、これらのモータによってそれぞれ回転駆動される。一方、レジスト従動ローラ５１Ｂ、中間従動ローラ８１Ｂ、第１両面従動ローラ８２Ｂ、第２両面従動ローラ８３Ｂおよび第３両面従動ローラ８４Ｂは、対向する駆動ローラに従動して回転する。
【００４７】
図５を参照して、本実施形態では、前述のようにレジストローラ５１Ａおよびレジスト従動ローラ５１Ｂのニップ部においてシートＳのスキュー（斜行）が矯正される。給紙部４０から給紙されたシートＳの先端部がレジストローラ対５１のニップ部に進入した際に、中間ローラ対８１のニップ部に当該シートＳが挟持されていると、レジストローラ対５１におけるスキュー矯正機能が働きにくい。同様に、両面搬送路５０Ｂを搬送されたシートＳの先端部がレジストローラ対５１のニップ部に進入した際に、第３両面ローラ対８４のニップ部に当該シートＳが挟持されていると、レジストローラ対５１におけるスキュー矯正機能が働きにくい。したがって、本実施形態では、所定のタイミングで中間ローラ対８１および第３両面ローラ対８４のニップ部がそれぞれ一時的に解放される（離接動作）。
【００４８】
両面搬送ユニット８は、駆動機構９と、駆動機構９を制御する制御部５００（駆動制御部）と、を更に備える。図６は、本実施形態に係る駆動機構９の斜視図である。なお、図６では、中間ローラ対８１および第３両面ローラ対８４が一つずつ描かれているが、実際には、軸方向に沿って４つの中間ローラ対８１および４つの第３両面ローラ対８４が、それぞれ第１伝達シャフト９６および第２伝達シャフト９７上に間隔をおいて配置されている。駆動機構９は、単一のモータの駆動力に基づいて、中間ローラ対８１のニップ部（第１ニップ部）と第３両面ローラ対８４のニップ部（第２ニップ部）とを選択的に解放する。換言すれば、駆動機構９は、中間駆動ローラ８１Ａを所定の時間中間従動ローラ８１Ｂから離間させた後、中間従動ローラ８１Ｂに再び当接させる第１離接動作と、第３両面駆動ローラ８４Ａを所定の時間第３両面従動ローラ８４Ｂから離間させた後、第３両面従動ローラ８４Ｂに再び当接させる第２離接動作とを、選択的に実行することが可能とされている。なお、第１離接動作中、第３両面駆動ローラ８４Ａは第３両面従動ローラ８４Ｂに当接しており、第２離接動作中、中間駆動ローラ８１Ａは中間従動ローラ８１Ｂに当接している。各離接動作では、４つの中間ローラ対８１および４つの第３両面ローラ対８４がそれぞれ一括して駆動される。駆動機構９は、それぞれユニット本体８０内に配置される、モータ９０と、駆動ギア９１と、駆動シャフト９２と、入力カム９３（カム）と、第１駆動伝達機構９Ａと、第２駆動伝達機構９Ｂと、を備える。
【００４９】
モータ９０は、第１回転方向および前記第１回転方向とは反対の第２回転方向に回転可能とされている。モータ９０の回転のオン、オフおよび回転方向は、制御部５００によって制御される。駆動ギア９１は、モータ９０の不図示の出力軸に連結されたギアである。駆動シャフト９２は、駆動ギア９１の回転軸に相当する。なお、図６において、矢印Ｄ１方向がモータ９０の第１回転方向に相当し、矢印Ｄ２方向がモータ９０の第２回転方向に相当する。
【００５０】
第１駆動伝達機構９Ａは、モータ９０の前記第１回転方向における回転駆動力によって第１離接動作を実行する。第１駆動伝達機構９Ａは、第１伝達カム９４（第１被押圧部）と、第１伝達シャフト９６（第１軸部）と、第１ホルダ９８と、第１スプリング９８Ｓと、を有する。
【００５１】
第１伝達カム９４は、入力カム９３の左側で入力カム９３に対向して配置されている。第１伝達シャフト９６は、前後方向に延びており、第１伝達シャフト９６の前端部は第１伝達カム９４に接続されている。この結果、第１伝達シャフト９６は、第１伝達カム９４の回動（揺動）における支点（第１支点９４Ｓ）を形成する。第１ホルダ９８は、第１伝達カム９４の後方において、第１伝達シャフト９６に固定されている。第１ホルダ９８は、中間駆動ローラ８１Ａを回転可能に支持する。第１スプリング９８Ｓは、中間駆動ローラ８１Ａが中間従動ローラ８１Ｂに当接する方向に沿って第１ホルダ９８を付勢している。このため、第１スプリング９８Ｓの一端は第１ホルダ９８に固定され、第１スプリング９８Ｓの他端は、ユニット本体８０の一部に固定されている。
【００５２】
第２駆動伝達機構９Ｂは、モータ９０の前記第２回転方向における回転駆動力によって第２離接動作を実行する。第２駆動伝達機構９Ｂは、第２伝達カム９５（第２被押圧部）と、第２伝達シャフト９７（第２軸部）と、第２ホルダ９９と、第２スプリング９９Ｓと、を有する。
【００５３】
第２伝達カム９５は、入力カム９３の右側（第１伝達カム９４とは反対側）で入力カム９３に対向して配置されている。第２伝達シャフト９７は、第１伝達シャフト９６と平行に延びており、第２伝達シャフト９７の前端部は第２伝達カム９５に接続されている。この結果、第２伝達シャフト９７は、第２伝達カム９５の回動（揺動）における支点（第２支点９５Ｓ）を形成する。第２ホルダ９９は、第２伝達カム９５の後方において、第２伝達シャフト９７に固定されている。第２ホルダ９９は、第３両面駆動ローラ８４Ａを回転可能に支持する。第２スプリング９９Ｓは、第３両面ローラ対８４Ａが第３両面従動ローラ８４Ｂに当接する方向に沿って第２ホルダ９９を付勢している。このため、第２スプリング９９Ｓの一端は第２ホルダ９９に固定され、第２スプリング９９Ｓの他端は、ユニット本体８０の一部に固定されている。
【００５４】
図６を参照して、第１離接動作では、制御部５００によってモータ９０が第１回転方向に回転されると、入力カム９３が矢印Ｄ１方向に回転しながら第１伝達カム９４を押圧する（矢印Ｄ６１）。この結果、第１伝達カム９４、第１伝達シャフト９６とともに第１ホルダ９８が第１伝達シャフト９６の軸心回りに回転し、中間駆動ローラ８１Ａが中間従動ローラ８１Ｂから離間する（矢印Ｄ６２）。制御部５００は、後記のように所定の時間経過後に、モータ９０を第２回転方向に回転させ、入力カム９３を図６に示す待機位置に復帰させる。この結果、第１ホルダ９８が第１スプリング９８Ｓの付勢力によって図６に示される位置に復帰し、中間駆動ローラ８１Ａが再び中間従動ローラ８１Ｂに当接する。
【００５５】
同様に、第２離接動作では、制御部５００によってモータ９０が第２回転方向に回転されると、入力カム９３が矢印Ｄ２方向に回転しながら第２伝達カム９５を押圧する（矢印Ｄ６３）。この結果、第２伝達カム９５、第２伝達シャフト９７とともに第２ホルダ９９が第２伝達シャフト９７の軸心回りに回転し、第３両面駆動ローラ８４Ａが第３両面従動ローラ８４Ｂから離間する（矢印Ｄ６４）。制御部５００は、後記のように所定の時間経過後に、モータ９０を第１回転方向に回転させ、入力カム９３を図６に示す待機位置に復帰させる。この結果、第２ホルダ９９が第２スプリング９９Ｓの付勢力によって図６に示される位置に復帰し、第３両面駆動ローラ８４Ａが再び第３両面従動ローラ８４Ｂに当接する。
【００５６】
次に、画像形成装置１においてシートＳが搬送される様子を、駆動機構９の動作とともに説明する。図７は、本実施形態において、片面連続印刷が実行される場合のフローチャートである。片面連続印刷では、複数のシートＳの片面にそれぞれ画像が形成された後、各シートＳが排出空間１０Ｓに排出される。また、図８は、本実施形態において、両面連続印刷が実行される場合のフローチャートである。両面連続印刷では、複数のシートＳの両面にそれぞれ画像が形成された後、各シートＳが排出空間１０Ｓに排出される。以下では、一例として、シートＳはＡ４横サイズのシートである。
【００５７】
図７では、ステップＳ１１〜Ｓ１７が１枚目のシートＳ（シートＳ１）に対する動作を示し、ステップＳ２１〜Ｓ２７が２枚目のシートＳ（シートＳ２）に対する動作を示し、ステップＳ３１〜Ｓ３４が３枚目のシートＳ（シートＳ３）に対する動作を示している。
【００５８】
片面連続印刷が実行されると、各搬送ローラ対が随時回転され、１枚目のシートＳ１が給紙部４０から給紙される（ステップＳ１１）。やがてシートＳ１の先端が中間ローラ対８１に到達し（ステップＳ１２）、更に、シートＳ１の先端が予め回転停止されているレジストローラ対５１に到達する（ステップＳ１３）。ここで、制御部５００は駆動機構９のモータ９０を第１回転方向に回転させ、中間ローラ対８１の中間駆動ローラ８１Ａを中間従動ローラ８１Ｂから離間させる（ステップＳ１４）。この結果、シートＳ１の後端側が中間ローラ対８１によって拘束されることが抑止され、レジストローラ対５１によってシートＳ１の斜行が安定して矯正される。その後、制御部５００はモータ９０を第２回転方向に回転させ、中間駆動ローラ８１Ａを再び中間従動ローラ８１Ｂに当接させる（ステップＳ１５）。この際、シートＳ１の後端部はまだ中間ローラ対８１を通過していないため、シートＳ１が中間ローラ対８１によって挟持される。その後、シートＳ１の後端が中間ローラ対８１を通過し（ステップＳ１６）、シートＳ１上に画像が形成された後、シートＳ１が排紙される（ステップＳ１７）。なお、図７において、ステップＳ１２〜Ｓ１５の一連の動作が片面フローＦ１と定義される。
【００５９】
シートＳ１の搬送と並行して、２枚目のシートＳ２が給紙される（ステップＳ２１）。本実施形態では、ステップＳ１５よりも後であってステップＳ１６よりも前のタイミングでステップＳ２１が実行される。この結果、先行するシートＳ１と後続のシートＳ２との間に所定の紙間（シート間隔）が形成される。やがて、シートＳ２の先端が中間ローラ対８１に到達し（ステップＳ２２）、更に、シートＳ２の先端がレジストローラ対５１に到達する（ステップＳ２３）。ステップＳ２２はステップＳ１６よりも後、詳しくはシートの後端がレジストローラ対５１を通過した後であってステップＳ１７よりも前のタイミングで実行される。また、ステップＳ２３はステップＳ１７よりも後のタイミングで実行される。ステップ２３において、シートＳ２の先端がレジストローラ対５１に到達すると、制御部５００は駆動機構９のモータ９０を第１回転方向に回転させ、中間ローラ対８１の中間駆動ローラ８１Ａを中間従動ローラ８１Ｂから離間させる（ステップＳ２４）。この結果、シートＳ２の後端側が中間ローラ対８１によって拘束されることが抑止され、レジストローラ対５１によってシートＳ２の斜行が安定して矯正される。その後、制御部５００はモータ９０を第２回転方向に回転させ、中間駆動ローラ８１Ａを再び中間従動ローラ８１Ｂに当接させる（ステップＳ２５）。この際も、シートＳ２の後端部はまだ中間ローラ対８１を通過していないため、シートＳ２が中間ローラ対８１によって挟持される。その後、シートＳ２の後端が中間ローラ対８１を通過し（ステップＳ２６）、シートＳ２上に画像が形成された後、シートＳ２が排紙される（ステップＳ２７）。
【００６０】
同様に、シートＳ２の搬送と並行して、３枚目のシートＳ３が給紙される（ステップＳ３１）。ステップＳ３１は、ステップＳ２５よりも後であってステップＳ２６よりも前のタイミングで実行される。この結果、先行するシートＳ２と後続のシートＳ３との間にも所定の紙間（シート間隔）が形成される。その後、シートＳ３に対して前述の片面フローＦ１が実行される（ステップＳ３２）。そして、シートＳ３の後端がレジストローラ対５１を通過し（ステップＳ３３）、シートＳ３上に画像が形成され、二次転写ローラ３５を通過した後、シートＳ３が排紙される（ステップＳ３３）。
【００６１】
このように、シートＳに連続して片面印刷が実行される際には、制御部５００が駆動機構９を制御することで、所定のタイミングで中間ローラ対８１の中間駆動ローラ８１Ａが中間従動ローラ８１Ｂから離間する。
【００６２】
一方、図８では、両面連続印刷時のフローが示されており、ステップＳ４１〜Ｓ５２が１枚目のシートＳ（シートＳ１）に対する動作を示し、ステップＳ６１〜Ｓ６７が２枚目のシートＳ（シートＳ２）に対する動作を示し、ステップＳ７１〜Ｓ７５が３枚目のシートＳ（シートＳ３）に対する動作を示している。
【００６３】
両面連続印刷が実行されると、各搬送ローラ対が随時回転され、１枚目のシートＳ１が給紙部４０から給紙される（ステップＳ４１）。そして、シートＳ１の表面に画像が形成されるために、前述の片面フローＦ１がシートＳ１に対して実行される（ステップＳ４２）。そして、シートＳ１の後端が中間ローラ対８１およびレジストローラ対５１を順に通過し（ステップＳ４３、Ｓ４４）、シートＳ１の表面に画像が形成され定着部６０で定着された後、シートＳ１が、上方排出路５０Ｃにおいて第２排出ローラ対７Ｂによってスイッチバックされ、両面搬送路５０Ｂに搬入される。両面搬送路５０Ｂに配置された第１両面ローラ対８２、第２両面ローラ対８３によってシートＳ１が搬送されながら、やがてシートＳ１の先端が第３両面ローラ対８４に到達する（ステップＳ４５）。そして、シートＳ１の先端が両面搬送路５０Ｂの合流部ＧＰの手前に至ると、第３両面ローラ対８４（第２両面ローラ対８３）の回転が制御部５００によって停止され、シートＳ１が合流部ＧＰの手間で待機する（ステップＳ４６）。当該動作は、後記のシートＳ２が中間ローラ対８１およびレジストローラ対５１を通過するためである。なお、図８に示すように、ステップＳ４５およびステップＳ４６の一連の動作が両面フローＦ２と定義される。
【００６４】
その後、シートＳ２の後端がレジストローラ対５１を通過すると（ステップＳ６４参照）、第３両面ローラ対８４（第２両面ローラ対８３）の回転が再開され、待機していたシートＳ１が主搬送路５０Ａに搬入される。そして、シートＳ１の後端が第２両面ローラ対８３を通過した状態でシートＳ１の先端がレジストローラ対５１に到達すると（ステップＳ４７）、制御部５００は駆動機構９のモータ９０を第２回転方向に回転させ、第３両面ローラ対８４の第３両面駆動ローラ８４Ａを第３両面従動ローラ８４Ｂから離間させる（ステップＳ４８）。この結果、シートＳ１の後端側が第３両面ローラ対８４によって拘束されることが抑止され、レジストローラ対５１によってシートＳ１の斜行が安定して矯正される。その後、制御部５００はモータ９０を第１回転方向に回転させ、第３両面駆動ローラ８４Ａを再び第３両面従動ローラ８４Ｂに当接させる（ステップＳ４９）。この際も、シートＳ１の後端部はまだ第３両面ローラ対８４を通過していないため、シートＳ１が第３両面ローラ対８４によって挟持される。その後、シートＳ１の後端が第３両面ローラ対８４およびレジストローラ対５１を順に通過し（ステップＳ５０、Ｓ５１）、シートＳ１の裏面に画像が形成された後、シートＳ１が排紙される（ステップＳ５２）。なお、図８に示すように、ステップＳ４７〜ステップＳ５１の一連の動作が両面フローＦ３と定義される。
【００６５】
本動作においても、シートＳ１の搬送と並行して、２枚目のシートＳ２が給紙される（ステップＳ６１）。ステップＳ６１は、ステップＳ４２よりも後であってステップＳ４３よりも前のタイミングで実行される。この結果、先行するシートＳ１と後続のシートＳ２との間にも所定の紙間（シート間隔）が形成される。その後、シートＳ２に対して前述の片面フローＦ１が実行される（ステップＳ６２）。そして、シートＳ２の後端が中間ローラ対８１およびレジストローラ対５１を順に通過し（ステップＳ６３、Ｓ６４）、シートＳ２の表面に画像が形成された後、シートＳ２が、上方排出路５０Ｃにおいてスイッチバックされ、両面搬送路５０Ｂに搬入される。両面搬送路５０Ｂに配置された第１両面ローラ対８２、第２両面ローラ対８３によってシートＳ２が搬送されながら、やがてシートＳ２の先端が第３両面ローラ対８４に到達し、前述の両面フローＦ２（待機動作）が実行される（ステップＳ６５）。当該動作は、後記のシートＳ３が中間ローラ対８１およびレジストローラ対５１を通過するためである。その後、シートＳ３の後端がレジストローラ対５１を通過すると（ステップＳ７４参照）、第３両面ローラ対８４（第２両面ローラ対８３）の回転が再開され、待機していたシートＳ２が主搬送路５０Ａに搬入される。その後、シートＳ２に対して前述の両面フローＦ３が実行される（ステップＳ６６）。そして、シートＳ２の裏面に画像が形成された後、シートＳ２が排紙される（ステップＳ６７）。
【００６６】
更に、シートＳ２の搬送と並行して、３枚目のシートＳ３が給紙される（ステップＳ７１）。ステップＳ７１は、ステップＳ６２よりも後であってステップＳ６３よりも前のタイミングで実行される。この結果、先行するシートＳ２と後続のシートＳ３との間にも所定の紙間（シート間隔）が形成される。その後、シートＳ３に対して前述の片面フローＦ１が実行される（ステップＳ７２）。そして、シートＳ３の後端が中間ローラ対８１およびレジストローラ対５１を順に通過し（ステップＳ７３、Ｓ７４）、シートＳ３の表面に画像が形成された後、シートＳ３が、上方排出路５０Ｃにおいてスイッチバックされ、両面搬送路５０Ｂに搬入される。両面搬送路５０Ｂに配置された第１両面ローラ対８２、第２両面ローラ対８３によってシートＳ３が搬送されながら、やがてシートＳ３の先端が第３両面ローラ対８４に到達し、前述の両面フローＦ２（待機動作）が実行される（ステップＳ７５）。当該動作は、４枚目のシートＳが中間ローラ対８１およびレジストローラ対５１を通過するためである。その後、シートＳ１、シートＳ２と同様の処理がシートＳ３に対して実行される。
【００６７】
なお、上記の両面連続印刷におけるシートＳの搬送について画像形成部３０（二次転写ニップ部）を通過する順番で示すと、シートＳ１の表面、シートＳ２の表面、シートＳ１の裏面、シートＳ３の表面、シートＳ２の裏面の順に搬送される。
【００６８】
上記のように、本実施形態によれば、シートＳに連続して両面印刷が実行される際には、制御部５００が駆動機構９を制御することで、所定のタイミングで中間ローラ対８１の中間駆動ローラ８１Ａが中間従動ローラ８１Ｂから離間する一方、中間ローラ対８１とは異なるタイミングで第３両面ローラ対８４の第３両面駆動ローラ８４Ａが第３両面従動ローラ８４Ｂから離間する。したがって、主搬送路５０Ａおよび両面搬送路５０Ｂの２つの搬送路に配置された２つの搬送ローラ対（中間ローラ対８１、第３両面ローラ対８４）を駆動機構９によって選択的に離間させることができる。この結果、中間ローラ対８１および第３両面ローラ対８４のそれぞれに離間用の駆動機構を配置する必要がなく、複数の搬送路にそれぞれ配置された搬送ローラ対のニップを解除する駆動機構の数を従来よりも減少させることが可能となる。
【００６９】
また、本実施形態では、駆動機構９が、モータ９０と、第１駆動伝達機構９Ａと、第２駆動伝達機構９Ｂと、を有する。このため、単一のモータ９０の回転方向に応じて、複数の搬送ローラ対のニップを選択的に解除することができる。更に、入力カム９３の回動方向に応じて、第１ホルダ９８および第２ホルダ９９が異なる方向に回動することで、中間駆動ローラ８１Ａおよび第３両面駆動ローラ８４Ａのうちの一方の離間動作が安定して実現される。
【００７０】
また、本実施形態では、制御部５００は、中間ローラ対８１によって主搬送路５０Ａを搬送されるシートＳの先端部がレジストローラ対５１に至った後に前記第１離接動作を実行し、第３両面ローラ対８４によって両面搬送路５０Ｂを搬送されるシートＳの先端部がレジストローラ対５１に至った後に前記第２離接動作を実行する。この結果、主搬送路５０Ａまたは両面搬送路５０Ｂを搬送されるシートの斜行がそれぞれ安定して矯正される。
【００７１】
更に、本実施形態では、制御部５００は、前記第１離接動作を実行した後であってシートＳの後端部が中間ローラ対８１を通過する前に中間駆動ローラ８１Ａを中間従動ローラ８１Ｂに当接させる一方、前記第２離接動作を実行した後であってシートＳの後端部が第３両面ローラ対８４を通過する前に第３両面駆動ローラ８４Ａを第３両面従動ローラ８４Ｂに当接させる。したがって、シートＳの後端が中間ローラ対８１または第３両面ローラ対８４を通過した後に当接動作が実行される場合と比較して、紙間の不要な増大を抑制することができる。
【００７２】
以上、本発明の実施形態に係る画像形成装置１について説明したが、本発明はこれに限定されるものではなく、例えば次のような変形実施形態を採用することができる。
【００７３】
（１）上記の実施形態では、本発明の第１搬送路および第２搬送路として主搬送路５０Ａおよび両面搬送路５０Ｂを用いて説明したが、本発明はこれに限定されるものではない。画像形成装置１における複数の搬送路にそれぞれ配置された他の搬送ローラ対のニップ解除（離接動作）が駆動機構９によって実行される態様でもよい。
【００７４】
（２）また、上記の実施形態では、中間駆動ローラ８１Ａおよび第３両面駆動ローラ８４Ａがそれぞれ離間する態様にて説明したが、中間従動ローラ８１Ｂおよび第３両面従動ローラ８４Ｂが離間する態様でもよい。
【００７５】
（３）上記の実施形態では、図７、図８に示されるフローにて、片面連続印刷および両面連続印刷におけるシートＳの搬送態様について説明したが、本発明はこれに限定されるものではなく、図７、図８とは異なる他の順序に基づいて複数のシートＳが搬送される態様でもよい。
【符号の説明】
【００７６】
１  画像形成装置
１０  装置本体
１０Ｓ  排出空間（シート排出部）
３０  画像形成部
３５  二次転写ローラ
４０  給紙部（シート収容部）
４６  給紙トレイ
５００  制御部（駆動制御部）
５０Ａ  主搬送路（第１搬送路）
５０Ｂ  両面搬送路（第２搬送路）
５１  レジストローラ対
５１Ａ  レジストローラ
５１Ｂ  レジスト従動ローラ
８  両面搬送ユニット
８０  ユニット本体
８１  中間ローラ対（第１搬送ローラ対）
８１Ａ  中間駆動ローラ（第１ローラ）
８１Ｂ  中間従動ローラ（第２ローラ）
８２  第１両面ローラ対
８３  第２両面ローラ対
８４  第３両面ローラ対（第２搬送ローラ対）
８４Ａ  第３両面駆動ローラ（第３ローラ）
８４Ｂ  第３両面従動ローラ（第４ローラ）
９  駆動機構
９Ａ  第１駆動伝達機構
９Ｂ  第２駆動伝達機構
９０  モータ
９１  駆動ギア
９２  駆動シャフト
９３  入力カム（カム）
９４  第１伝達カム（第１被押圧部）
９５  第２伝達カム（第２被押圧部）
９６  第１伝達シャフト（第１軸部）
９７  第２伝達シャフト（第２軸部）
９８  第１ホルダ
９８Ｓ  第１スプリング
９９  第２ホルダ
９９Ｓ  第２スプリング
ＧＰ  合流部
【図１】
2019147674.tif 000003
【図２】
2019147674.tif 000004
【図３】
2019147674.tif 000005
【図４】
2019147674.tif 000006
【図５】
2019147674.tif 000007
【図６】
2019147674.tif 000008
【図７】
2019147674.tif 000009
【図８】
2019147674.tif 000010